(57)【特許請求の範囲】
【請求項１】
複数の他のコンピューティングデバイスに結合された少なくとも一つのコンピューティングデバイスを備えるシステムであって、前記少なくとも一つのコンピューティングデバイスは、
最初に、通貨ペアに対する複数のリスクリバーサルであって、その少なくとも一つ（第１）のリスクリバーサルは第１の満期を有し、少なくとも第２のリスクリバーサルは第１の満期と異なる第２の満期を有している前記複数のリスクリバーサルに関する市場データを、リスクリバーサルを記憶している記憶装置から、検索手段によって検索し、
各リスクリバーサルに対するスキューをクォートするためにどちらの通貨を使用するかを、記憶装置に記憶された慣習上の規則に従って、決定手段によって決定し、
前記他のコンピューティグデバイスの少なくとも一つにおいて表示されるインタフェーススクリーンに通信手段によって通信して、それにより、前記第１及び第２のリスクリバーサルのリスト、前記市場データ及び各リスクリバーサルの決定されたスキューの表示を前記インタフェーススクリーンに表示させ、
その後に、前記第１及び第２のリスクリバーサルの少なくとも一つに対する市場データを、リスクリバーサルを記憶している記憶装置から、検索手段によって検索し、
前記第１及び第２のリスクリバーサルの前記少なくとも一つに対する市場データを、最初に検索された市場データと比較手段によって比較することによって、前記第１及び第２のリスクリバーサルの前記少なくとも１つのスキューに変化があったことを決定手段によって決定し、
前記他のコンピューティングデバイスの前記少なくとも一つにおいて表示される前記インタフェーススクリーンに通信手段によって通信して、それにより、前記インタフェーススクリーンに表示されている、前記後に検索された市場データ及び前記第１及び第２のリスクリバーサルの前記少なくとも１つのスキューの前記変化の表示をリフレッシュさせる、
ように動作し得るシステム。
【請求項２】
前記市場データは各リスクリバーサルに対する価額又はボラリティ及び数量データを含む、請求項１記載のシステム。
【請求項３】
前記リスクリバーサルは満期順にコラムレイアウトで配列される、請求項１記載のシステム。
【請求項４】
スキューは少なくとも最初に通貨ペアの非支配的通貨の単位でクォートされる、請求項１記載のシステム。
【請求項５】
前記スキューの表示は通貨記号とビッドされているオプションのタイプの表示を含み、スキューの変化は通貨ペアと関連するもう一つの通貨記号と置き換えることにより表示される、請求項４記載のシステム。
【請求項６】
前記スキューの変化は、更に、別のタイプのオプションと関連する表示と置き換えることにより表示される、請求項５記載のシステム。
【請求項７】
前記スキューの表示は、更に、通貨記号とビッドされているオプションのタイプと関連する色を表示することを含み、前記スキューの変化は、更に、別のタイプのオプションと関連する別の色と置き換えることにより表示される、請求項５記載のシステム。
【請求項８】
前記表示される市場データは前記リスクリバーサルに対する買い側及び売り側クォートを一方向に含み、前記スキューの変化は、更に、前記方向をフリップさせることにより表示される、請求項５記載のシステム。
【請求項９】
前記スキューの変化は、左から右方向に、左側レート＜０及び絶対値（左側レート）＜絶対値（右側レート）であるとき、決定される、請求項８記載のシステム。
【請求項１０】
複数の他のコンピューティングデバイスに結合された少なくとも一つのコンピューティングデバイスを備えるシステムで実施される方法あって、該方法は、
最初に、通貨ペアに対する複数のリスクリバーサルであって、その少なくとも一つ（第１）のリスクリバーサルは第１の満期を有し、少なくとも第２のリスクリバーサルは第１の満期と異なる第２の満期を有している前記複数のリスクリバーサルに関する市場データを、リスクリバーサルを記憶している記憶装置から、検索手段によって検索するステップ、
各リスクリバーサルに対するスキューをクォートするためにどちらの通貨を使用するかを、記憶装置に記憶された慣習上の規則に従って、決定手段によって決定するステップ、
前記他のコンピューティグデバイスの少なくとも一つにおいて表示されるインタフェーススクリーンに通信手段によって通信して、それにより、前記第１及び第２のリスクリバーサルのリスト、前記市場データ及び各リスクリバーサルの決定されたスキューの表示を前記インタフェーススクリーンに表示させるステップ、
その後に、前記第１及び第２のリスクリバーサルの少なくとも一つに対する市場データを、リスクリバーサルを記憶している記憶装置から、検索手段によって検索するステップ、
前記第１及び第２のリスクリバーサルの前記少なくとも一つに対する市場データを、最初に検索された市場データと比較手段によって比較することによって、前記第１及び第２のリスクリバーサルの前記少なくとも一つのスキューに変化があったことを決定手段によって決定するステップ、及び
前記他のコンピューティングデバイスの前記少なくとも一つにおいて表示される前記インタフェーススクリーンに通信手段によって通信して、それにより、前記インタフェーススクリーンに表示されている、前記後に検索された市場データ及び前記第１及び第２のリスクリバーサルの前記少なくとも１つのスキューの前記変化の表示をリフレッシュさせるステップ、
を備える方法。
【請求項１１】
前記市場データは各リスクリバーサルに対する価額又はボラリティ及び数量データを含む、請求項１０記載の方法。
【請求項１２】
前記リスクリバーサルは満期順にコラムレイアウトで配列される、請求項１０記載の方法。
【請求項１３】
前記スキューは少なくとも最初に通貨ペアの非支配的通貨の単位でクォートされる、請求項１０記載の方法。
【請求項１４】
前記スキューの表示は、通貨記号とビッドされているオプションのタイプの表示を含み、スキューの変化は通貨ペアと関連するもう一つの通貨記号と置き換えることにより表示される、請求項１３記載の方法。
【請求項１５】
前記スキューの変化は、更に、別のタイプのオプションと関連する表示と置き換えることにより表示される、請求項１４記載の方法。
【請求項１６】
前記スキューの表示は、更に、通貨記号とビッドされているオプションのタイプと関連する色を表示することを含み、前記スキューの変化は、更に、別のタイプのオプションと関連する別の色と置き換えることにより表示される、請求項１４記載の方法。
【請求項１７】
前記表示される市場データは前記リスクリバーサルに対する買い側及び売り側クォートを一方向に含み、前記スキューの変化は、更に、前記方向をフリップすることにより表示される、請求項１４記載の方法。
【請求項１８】
前記スキューの変化は、左から右方向に、左側レート＜０及び絶対値（左側レート）＜絶対値（右側レート）であるとき、決定される、請求項１７記載の方法。
【発明の詳細な説明】
【技術分野】
【０００１】
本出願は２００７年８月２４日に出願された米国特仮出願６０／９５７，９６９号の優先件利益を主張するものであり、この特許仮出願は引用することにより本書に組み込まれる。
【背景技術】
【０００２】
本発明は一般的にはトレーディングシステム、特にはトレーディング及びトレーディング関連情報を表示するインタフェースに関する。
【発明の概要】
【０００３】
本発明の一つの態様においては、複数の他のコンピューティングデバイスに結合された少なくとも一つのコンピューティングデバイスを備えるシステム及び対応する方法が提供される。前記少なくとも一つのコンピューティングデバイスは、最初に、通貨ペアに対する複数のリスクリバーサルであってその少なくとも一つ（第１）のリスクリバーサルは第１の満期を有し、少なくとも第２のリスクリバーサルは第１の満期と異なる第２の満期を有している前記複数のリスクリバーサルに関する市場データを検索し、各リスクリバーサルに対するスキューをクォートするためにどちらの通貨を使用するかを決定し、前記他のコンピューティグデバイスの少なくとも一つにおいて、インタフェーススクリーンに通知して、前記第１及び第２のリスクリバーサルのリスト及び各リスクリバーサルの決定されたスキューの表示を前記インタフェーススクリーンに表示させ、その後に、前記第１及び第２のリスクリバーサルの少なくとも一つに関する市場データを検索し、前記後に検索された市場データに基づいて、前記第１及び第２のリスクリバーサルの少なくとも一つのスキューに変化があったことを決定し、前記他のコンピューティングデバイスの少なくとも一つにおいて、前記インタフェーススクリーンに通知して、前記インタフェーススクリーンに表示されている、前記後で検索された市場データ及び前記第１及び第２のリスクリバーサルのスキューの変化の表示をリフレッシュさせることができる。
【０００４】
少なくとも一つの実施例では、市場データは各リスクリバーサルに対する価額又はボラリティ及び数量データを含む。
【０００５】
少なくとも一つの実施例では、リスクリバーサルは満期順にコラムレイアウトで配列される。
【０００６】
少なくとも一つの実施例では、スキューは少なくとも最初に通貨ペアの非支配的通貨の単位でクォートされる。
【０００７】
少なくとも一つの実施例では、スキューの表示は、通貨記号とビッド中のオプションのタイプの表示を含み、スキューの変化は通貨ペアと関連するもう一つの通貨記号と置き換えることにより表示される。
【０００８】
少なくとも一つの実施例では、スキューの変化は、更に、別のタイプのオプションと関連する表示と置き換えることにより表示される。  
【０００９】
少なくとも一つの実施例では、スキューの表示は、更に、通貨記号とビッド中のオプションのタイプと関連する色を表示することを含み、スキューの変化は、更に、別のタイプのオプションと関連する別の色と置き換えることにより表示される。
【００１０】
少なくとも一つの実施例では、表示される市場データはリスクリバーサルに対する買い側及び売り側クォートを一方向に含み、スキューの変化は、更に、前記方向をフリップすることにより表示される。
【００１１】
少なくとも一つの実施例では、スキューの変化は、左から右方向に、左側レート＜０及び絶対値（左側レート）＜絶対値（右側レート）であるとき、決定される。
【図面の簡単な説明】
【００１２】
【図１】本明細書に開示するシステムの少なくとも一つの実施例によるシステムを示す。
【図２】本明細書に開示する方法の少なくとも一つの実施例によるフローチャートを示す。
【図３】本明細書に開示する方法及びシステムの少なくとも一つで使用するインタフェーススクリーンを示す。
【図４】本明細書に開示する方法及びシステムの少なくとも一つで使用するインタフェーススクリーンを示す。
【図５】本明細書に開示する方法及びシステムの少なくとも一つで使用するインタフェーススクリーンを示す。
【図６】本明細書に開示する方法及びシステムの少なくとも一つで使用するインタフェーススクリーンを示す。
【図７】本明細書に開示する方法及びシステムの少なくとも一つで使用するインタフェーススクリーンを示す。
【図８】本明細書に開示する方法及びシステムの少なくとも一つで使用するインタフェーススクリーンを示す。
【図９】本明細書に開示する方法及びシステムの少なくとも一つで使用するインタフェーススクリーンを示す。
【図１０】本明細書に開示する方法及びシステムの少なくとも一つで使用するインタフェーススクリーンを示す。
【図１１】本明細書に開示する方法及びシステムの少なくとも一つで使用するインタフェーススクリーンを示す。
【図１２】本明細書に開示する方法及びシステムの少なくとも一つで使用するインタフェーススクリーンを示す。
【図１３】本明細書に開示する方法及びシステムの少なくとも一つで使用するインタフェーススクリーンを示す。
【図１４】本明細書に開示する方法及びシステムの少なくとも一つで使用するインタフェーススクリーンを示す。
【図１５】本明細書に開示する方法及びシステムの少なくとも一つで使用するインタフェーススクリーンを示す。
【図１６】本明細書に開示する方法及びシステムの少なくとも一つで使用するインタフェーススクリーンを示す。
【図１７】本明細書に開示する方法及びシステムの少なくとも一つで使用するインタフェーススクリーンを示す。
【図１８】本明細書に開示する方法及びシステムの少なくとも一つで使用するインタフェーススクリーンを示す。
【図１９】本明細書に開示する方法及びシステムの少なくとも一つで使用するインタフェーススクリーンを示す。
【図２０】本明細書に開示する方法及びシステムの少なくとも一つで使用するインタフェーススクリーンを示す。
【図２１】本明細書に開示する方法及びシステムの少なくとも一つで使用するインタフェーススクリーンを示す。
【図２２】本明細書に開示する方法及びシステムの少なくとも一つで使用するインタフェーススクリーンを示す。
【図２３】本明細書に開示する方法及びシステムの少なくとも一つで使用するインタフェーススクリーンを示す。
【図２４】本明細書に開示する方法及びシステムの少なくとも一つで使用するインタフェーススクリーンを示す。
【図２５】本明細書に開示する方法及びシステムの少なくとも一つで使用するインタフェーススクリーンを示す。
【図２６】本明細書に開示する方法及びシステムの少なくとも一つで使用するインタフェーススクリーンを示す。
【図２７】本明細書に開示する方法及びシステムの少なくとも一つで使用するインタフェーススクリーンを示す。
【発明を実施するための形態】
【００１３】
図１を参照すると、ここに開示するシステムの少なくとも一つの実施例によるシステム１００は、少なくとも一つのコンピューティングデバイス、例えばリモートコンピュータ１０６，１０８（例えばサーバコンピュータ）、クライアントコンピュータ１０２，１０４又はそれらの組み合わせを備える。ここでリモートとは、リモートコンピュータ１０６，１０８と少なくとも一つのクライアントコンピュータ１０２，１０４とは別個であることを意味するだけである。従って、これらのデバイスは同じ部屋内にあってもリモートである。少なくとも一つの実施例では、システムは、通信ネットワークを経て１つ又は複数の内部クライアントコンピュータ１０２に接続された少なくとも１つの内部交換コンピュータ１０６と、少なくとも１つの外部交換コンピュータ１０８とを含む。外部クライアントコンピュータ１０８は更に外部クライアントコンピュータ１０４に接続することができる。１つ以上の内部クライアントコンピュータ１０２はファイアウォールを経て内部交換コンピュータ１０６に接続することができる。
【００１４】
システム１００は、任意のタイプの通信ネットワーク１１０、例えばローカルエリアネットワーク（ＬＡＮ）、ワイドエリアネットワーク（ＷＡＮ）、インターネット、電話網（ＰＯＴＳ）、無線ネットワーク（セルラ、ＷｉＦｉ及びＷｉＭａｘネットワークを含む）、又は優先及び／又は無線ネットワークの組み合わせで実現できる。場合によっては、通信ネットワーク１１０は、インターネットと独立にすることができ、またインターネットで伝送される情報のタイプ、例えば流用などのセキュリティリスクの殆ど又は全くない情報又は暗号化された情報に対して限定することができる。
【００１５】
ネットワーク化された実施例では、クライアントコンピュータ１０２は、コンピュータ１０６への及び／又はからの通信の送信及び／又は受信を行うように設定するか、できるように構成するのが好ましい。これは、同様装備のコンピュータ１０６と無線で、有線で又はその組み合わせで通信できる、例えばモデム、イーサネット（登録商標）インタフェース、送／受信機等の通信素子によって達成できる。ここに記載する相対的機能は、リモートコンピュータ１０６により、クライアントコンピュータ１０２により、又はその両方により与えられ、従ってここに記載する実施例の特定の一つに限定されない。少なくとも一つの実施例においては、クライアントコンピュータ１０２は一般にフロントエンド機能を提供し、コンピュータ１０６はバックエンド機能を提供する。
【００１６】
種々の実施例が為替オプション及びリスクリバーサルに関連して記載されるが、ここに記載する方法及びシステムは他のタイプの金融商品並びに非金融商品に等しく適用可能であり、これに限定されない。「金融商品」とは、会社、政府機関、又は（デプト又は価額を保障する）任意の他の主体により発行された任意の金融商品、任意のその派生商品を意味し、株式、債権、債務証書、金利又は預金証書、ワラント債、オプション、フューチャ、フォワード、スワップ、又は一般に任意の証券を含む。
【００１７】
コンピューティングデバイス、例えばクライアントコンピュータ１０２，１０４及び／又はリモートコンピュータ１０６，１０８は一般に少なくとも一つのプロセッサ、及びＲＯＭ，ＲＡＭ,フラッシュなどのメモリ又はハードドライブ、フラッシュドライブ、光又は磁気ディスクなどの任意のコンピュータ読取可能な媒体を含む。メモリ又はコンピュータ読取可能な媒体上には、実行時にここに記載する方法の１つ以上のステップを実行するソフトウェアが記憶され、このソフトウェアはデータ及びコマンドをコンピュータ間で通信するステップ、インタフェーススクリーンを表示するステップなどを含む。コンピュータは、ここに記載する種々のタイプのデータを検索及び／又は記憶するための１つ以上のデータベース１１４，１１６と関連し、アクセスすることができ、これらのデータベースはＩＤ及びパスワード、生体データのような身元証明データ、取引／注文及び市場データ、アカウントデータ、通信プリフェレンス、テンプレート、公言利益、履歴データ、ユーザプリフェレンスなどを含む。
【００１８】
クライアントコンピュータ１０２，１０４は、断らない限り、携帯電話、ＰＤＡ、ポケットＰＣ、パーソナルコンピュータ並びに任意の特別の又は他の汎用コンピューティングデバイスを含むことができる。クライアントコンピュータ１０２，１０４は、それ自体が、プロセッサと、メモリと、システム１００により提供される機能と関連する情報及び／又はグラフィックスを表示するためのＣＲＴ又はＬＣＤモニタのようなディスプレイと、ユーザがコマンド及び／又はシステム機能に関する情報を入力するための少なくとも一つの入力装置、例えばマウス、タッチセンシティブパッド、ポインタ、スタイラス、トラックボール、１つ以上のボタン、例えば英数字、スクロールホイール、タッチセンシティブモニタ又はそれらの組み合わせを含むのが好ましい。ＰＣ又はＰＤＡのような汎用型のクライアントコンピュータ１０２，１０４の場合には、ユーザはブラウザアプリケーション又は任意の他の一般的アプリケーションによって、又はここに記載する機能へのアクセス専用に設計された専用ソフトウェアによって、システム１００により提供される機能にアクセスすることができる。
【００１９】
少なくとも一つの実施例では、クライアントコンピュータ１０２，１０４は少なくとも一つの生体センサ１１８を含み、もしくは関連する。生体センサ１１８は、ユーザからユーザと関連する少なくとも一つの生体データを直接決定するために使用される任意の装置、例えば指紋リーダ、虹彩スキャナ、血管パターンリーダ、顔認識カメラなどとすることができる。生体センサ１１８はハードウェアで又はソフトウェアで又はその組み合わせで具体化することができる。生体センサ１１８は更にクライアントコンピュータ１０２，１０４の他のコンポーネント、例えばプロセッサ、メモリ、カメラ、マイクロフォン、スピーカなどとリソースを共用することができる。２種類以上の生体データを読み取るために単一の生体センサ１１８を使用することができる。例えば、ディジタルカメラを用いて交際スキャン用のユーザの目の画像及び顔認識用のユーザの顔の画像を得ることができる。この場合には、ユーザの顔の単一画像の取得によって顔認識用のデータと虹彩又は網膜比較用のデータを与えることができる。
【００２０】
生体データは一般に生体センサ１１８によって得られ、システム機能へのユーザアクセスを許可するゲートウェイとして少なくともユーザの身元を確認するために使用される。この際、生体データは、特定のユーザと関連することが検証されている予め取得／格納された生体データと比較され、その一致結果に基づいてシステム機能へのアクセスが許可される。
【００２１】
少なくとも一つの実施例では、システム１００は、１つ又は複数の取引所、例えば相対取引所（ＯＴＣ）、公的取引所、外部（ＯＴＣ）取引所、電子通信ネットワーク（ＥＣＮ）等における金融商品又は他の品目の取引に関連する機能を提供する。取引は一般に少なくとも一つ又は複数の市場を含むか、さもなければサポートする。この点に関し、システム１００は、トレーダ、ブローカ、ディーラ、顧客、マーケットメーカなどのユーザが一つのクライアントコンピュータ１０２，１０４を用いて市場データにアクセスし、一つ以上の取引所に注文を出すことを可能にする。ここで使用する注文は、ビッド、オファー、買い、売り、クォートの請求（ＲＦＱ）、クート等の実際の注文を含む。ユーザは本人又は代理人の資格で行動し得るものと理解されたい。従って、ユーザによって実行されるここに記載する行動は本人の行動及び代理人の行動を含む。例えば、注文を出すユーザについては顧客のために注文を出すブローカ並びに自分のために注文を出す顧客を含む。
【００２２】
図２を参照すると、少なくとも一つの実施例においては、システム１００は２１０で注文を受信し、２１２で注文を一つ以上のデータベースに格納して共有注文ブックを提供する。システム１００は特定の品目、例えば金融商品に対する注文をグループ化して各品目に対して少なくとも一つの注文を含む市場を生成する。少なくとも一つの実施例では、これらの注文はデリバティブ商品、例えばオプション、特に外国為替（ＦＸ）オプション及び／又はＦＸリスクリバーサル（ＲＲ）のような関連商品に対する注文である。従って、システム１００は少なくとも一つのＦＸオプション及び／又は少なくとも一つのＦＸオプションリスクリバーサルの市場を提供する。システムはまた、例えばクライアントコンピュータ１０２，１０４におけるインタフェーススクリーンに、図３−２７に示すような関連する市場データを含む市場表示スクリーン／ウィンドウを表示させることができる。各品目に対する市場はユーザにより手動交換、半自動交換、又は全自動交換で管理される。即ち、注文はシステムでユーザにより自動的に及び／又は手動的に実行することができる。
【００２３】
ステップ２１０−２１２からのデータは一般に市場表示ウィンドウをポピュレートする情報の少なくとも一部分を提供する。この点において、システム１００に出される注文に対して、種々のタイプのデータ、例えば品目名及び／又は記号、数量、価額、執行日時、ポスティング日時、売主／買主名及び／又は識別番号、アカウント番号、注文タイプ等及びそれらから導出される任意のデータが維持される。ＦＸオプション及びＦＸ  ＲＲに関しては、維持されるデータは、通貨ペア、該通貨ペアに対する基礎為替レート、行使価額、満期日、ビッド及びオファー価額、ボラリティ、デルタ、ビッド及びオファー量又は数量、タイプ（コール、プットなど）、スプレッドなどであり、これらのデータは特定の通貨ペアに対して市場表示ウィンドウでユーザに知らせることができる。
【００２４】
システム１００の関連機能へのアクセスのための各ユーザのセッションは２１４にてシステムへのユーザログインで開始することができる。即ち、ユーザは一つ以上の品目に対する市場データにアクセスしそれを見て一つ以上の品目に対する一つ以上の注文を出すためにログインすることができる。ログインは、一般にユーザからログインＩＤ、パスワード、生体データなどの識別情報を受信し、それを検証してシステム１００の関連機能にアクセスする権限をユーザに与える。
【００２５】
少なくとも一つの実施例では、システム１００は、その後２１８において、少なくとも一つの品目に対する市場データ、例えば通貨ペアに対する少なくとも一つのオプション及び／又はＲＲを検索し、検索したデータを含むインタフェーススクリーン又はウィンドウを２２２において表示させる。インタフェーススクリーン又はウィンドウは２１８におけるユーザからのクエリの受信に応答して表示させることができる。オプションは価額又はボラリティの何れかでクォートすることができる。ＲＲは典型的にはボラリティでクォートされる。従って、少なくとも一つの実施例では、表示される市場データはクォート価額及び／又はボラリティを備える。市場データは、例えばヒット又はリフトで影響され得る実際の注文を表示することができ、この場合には注文の数量も表示することができる。
【００２６】
インタフェーススクリーン又はウィンドウを表示させるステップにおいては、システム１００は２２０においてＲＲ通貨ペアに対するスキューをクォートするのにどちらの通貨を用いるかを決定する。この場合には、インタフェーススクリーン又はウィンドウは、図１８に示すようにスキューを示すラベル又は通貨ラベルを含むことができる。市場の慣習上、非ドル通貨対ＵＳドルの通貨レートのプライシングは、典型的には非ドル通貨／米ドルの単位でクォートされる。ただし、英ポンド対米ドルの場合には、通貨レートは米ドル／英ポンドでクォートされる。米ドルが通貨ペアに含まれない場合には、通貨レートは典型的には非支配的通貨／支配的通貨の単位でクォートされ、例えばユーロ対円の通貨レートは円／ユーロとしてクォートすることができる。同様の慣習をスキューのクォートに使用することができる。単一文字の通貨記号が使用可能である場合には、例えば、
0005490002.tif 000002
などが使用可能である。他の場合には、明白な文字を選択することができる（例えば、ＵＳＤ/ＣＡＤ→ＣＣ及びＣＰ）。
【００２７】
一実施例では、通貨ペアがＵＳＤを含む場合には、反対側の非ＵＳＤ通貨をスキューのクォートに使用することができる。通貨ペアがＵＳＤを含まない場合には、代わりに支配的（左側）通貨をスキューのクォートに使用することができる。ある通貨とＵＳドルとの間または支配的通貨と非支配的通貨との間におけるスキューのクォートの例を表Ａに示す。
【００２８】
表Ａ
ＵＳＤ/ＪＰＹ  →  ＪＰＹ
ＥＵＲ/ＵＳＤ  →  ＥＵＲ
ＥＵＲ/ＪＰＹ  →  ＥＵＲ
ＵＳＤ/ＣＡＤ  →  ＪＰＹ
ＵＳＤ/ＢＲＬ  →  ＢＲＬ
ＧＢＰ/ＵＳＤ  →  ＧＢＰ
ＥＵＲ/ＧＢＰ  →  ＥＵＲ
ＥＵＲ/ＣＨＦ  →  ＥＵＲ
【００２９】
市場ディスプレイは少なくとも異なる期日を有する複数のオプションを一貫した方向、例えば上から下へ、最短期間から最長期間順に配列することもできる。例えば、１Ｗ
ＥＵＲ/ＵＳＤ ２５ＤＬＴ ＲＲに対するクォートは、上から下にリストされた、１週間、１ヶ月、２ヶ月、３ヶ月、６ヶ月、９ヶ月、１年（１２ヶ月）を表す期間と、左側のレート及び数量と、右側のレート及び数量とで表示することができる。スキューは各期間に対して表示でき、スキューを表示する各セルは適切な通貨記号または識別子の後にコールのビッディング(入札)を表す文字“Ｃ”またはプットのビッディングを表す文字”Ｐ”が付加されて示される。スキューが表示されるセルの背景は、更に、コールのビッディングが表示されるとき暗赤色の背景が使用され、プットのビッディングが表示されるとき暗青色の背景が使用されるようにすることができる。
【００３０】
注文が受信され、取引が実行されると、システム１００は２２４において更新された市場データを受信する。ライブビッド及びオファーは太字フォントで表示できる。その後、システム１００は２２６においてスキューの変化があったかどうかを決定することができる。スキューの変化がなかった場合には、２３０において、インタフェーススクリーン又はウィンドウをリアルタイムに又は非リアルタイムにリフレッシュし、新たに検索された市場データを表示することができる。スキューの変化があった場合には、インタフェーススクリーンまたはウィンドウを同様にリアルタイム又は非リアルタイムにリフレッシュし、スキューの表示を通貨ペアの通貨間でのスキューの反転を示すために変化させることができる。すなわち、スキューが、以前コールのビッディングを示していたが、今は非ドル又は支配的通貨のプットのビッディングを支持するように変化した場合には、以前表示されていた暗赤色背景上の通貨記号に文字“Ｃ”が付加されたスキュー表示は暗青色背景上の通貨記号に文字”Ｐ”が付加された表示に変化する。通貨の位置及びラベルは変化させないで、ベストビッド及びオファーレートの変化及び暗赤色背景上の文字“Ｃ”から暗青色背景上の文字“Ｐ”への変化がスキューの変化の明示的性質を直ちに明らかにし、リスクリバーサルストラテジーの通貨ペアのうちのどちらの通貨が現在好まれているか及び反転したスキュー状態に対してビッド及びオファーされた価額を表示することができる。
【００３１】
ライブビッド又はオファーが２２４又は２２６において入手できない場合には、レートセルに表示されたレートは非太字の明灰色フォントで表示し、この表示は当該期間及び通貨に対する最終有効レートであるがライブ市場ではないことを示すことができる。このような明るい網掛け最終レート表示は「フットプリント」ということができる。このような最終有効レートフットプリントに対するスキューは明色背景上に表示して、同様に最終有効スキューであるがライブスキューではないことを示すことができ、例えばコールのビッディングが最後に表示されていた場合には、明赤色背景上の通貨記号に文字“Ｃ”を付加して、またプットのビッディングが最後に表示されていた場合には、明青色背景上の通貨記号に文字”Ｐ”を付加して表示することができる。このような明るい網掛けレート及び明るい網掛け背景は、表示されているレート及びスキューが最終有効表示であるがライブ市場ではないことを直ちに明示することができる。
【００３２】
リスクリバーサルは２つの通貨間の価値の差（スプレッド）と見ることができ、通貨間の価値の関係のボラリティを反映する。リスクリバーサルのスキューは通貨ペアのどちらの通貨が好まれているか、又は通貨ペアの他方の通貨に対して価値が上がると予想されるかを示す。一例として、ある通貨がＵＳドルよりも価値が上がると予想される場合には、スキューは非ドル通貨のコールをビッドすること及び当該通貨のプットを売ることを支持する。市況が、非ドル通貨よりもＵＳドルの価値が上がると予想されるような変化をすると、スキュー表示は非ドル通貨のプットをビッドすること及び当該通貨のコールを売ることを支持するように変化する。慣習上、ＵＳドルが通貨ペアに含まれる場合には、該通貨ペアに対するリスクリバーサル戦略の基礎となるオプションの売買は該ペア内の非ドル通貨で行われる。ＵＳドルが通貨ペアに含まれない場合には、該通貨ペアに対するリスクリバーサル戦略の基礎となるオプションの売買は典型的には該ペア内の支配的通貨で行われる。例えば、ユーロ対ＵＳドルのリスクリバーサルにおいては、スキューの変化はユーロコールのビッディングからＵＳドルコールのビッディングへの変化ではなく、ユーロコールのビッディングからユーロプットのビッディングへの変化を生じる。同様に、スイスフラン（ＣＨＦ）対ユーロのリスクリバーサルにおいては、スキューの変化はユーロコールのビッディングからＣＨＦコールのビッディングへの変化ではなく、ユーロコールのビッディングからユーロプットのビッディングへの変化を生じる。
【００３３】
少なくとも一つの実施例では、スキューの変化は、特定のリスクリバーサル期間に対して二面性市場(two sided market)があり、左側レートがゼロより小さい負値になり、その絶対値が右側レートの絶対値より低いときにトリガされる。市場の慣習では左側レートは正数として、即ちそれが負数であることを示す負符号なしで表示され、市場参加者及び解析プログラムはそのレートは負であると解釈する。
【００３４】
スキューの変化に対する条件は次の式で表スレーブことができる。
左側レート＜０
及び
絶対値（左側レート）＜絶対値（右側レート）
１．       
新しい左側レート＝−１＊（元の右側レート）
２．       
新しい右側レート＝−１＊（元の左側レート）
３．       
元のスキュー＝ＸＰの場合、新しいスキュー＝ＸＣ
４．       
元のスキュー＝ＸＣの場合、新しいスキュー＝ＸＰ
（Ｘ＝適切な通貨記号）
５．       
市場セル内の商品フリップのための最終市場レート
６．       
商品のためのスクラッチパッドレート
７．       
数秒間の商品フラッシュのためのスキューラベルセル
【００３５】
スキューの変化は、通貨ペアに対するそれぞれのリスクリバーサル期間における表示に一連の変化をもたらす。新しい左側レートは右側レートより低い絶対値を有する新しいレートとして表現される。左側レートに対する数量はレートのすぐ左に表示され続け、右側レートに対する数量はレート表示のすぐ右に表示され続ける。
【００３６】
最も右側のコラムは各期間に対するスキューを表示することができる。スキューは、スキューの方向を示すために色と記号を用いて表示される。ユーロ対ＵＳドルの通貨ペアの例につき説明を続けると、ユーロがＵＳドルに対して価値が上がると予想される場合には、スキューは、ユーロコールの買い及びユーロプットの売りを示すことができ、暗赤色背景上のユーロ記号
0005490002.tif 000003
にコールの文字“Ｃ”  が付加された表示がなされ、ユーロ/ＵＳドル通貨ペアのユーロに対してスキューはポシティブであること及びビッディングレグに関するストラテジーはユーロコールをビッドすることを示す。スキューがフリップ(反転)し、ユーロがＵＳドルに対して下落することが予想されることを反映する場合には、スキュー表示は暗青色上のユーロ記号
0005490002.tif 000004
に文字“Ｐ”が付加された表示に変化し、スキューは通貨ペアのユーロに対してネガティブであること及びビッディングレグに関するストラテジーは今はユーロプットをビッドすることを要求する。スキューラベルは所定の商品のために数秒間点滅する。
【００３７】
更に、通貨用の市場セルに表示されるレートは右側から左側へ又はその逆にフリップし、スクラッチパッドレートも同様にフリップする。
【００３８】
インタフェーススクリーン又はウィンドウはスキュー表示用のコラムにアラウンドパー表示を含めることもでき、少なくとも一つの実施例では、これは、例えばセルの左側に橙色背景上にアラウンドパーを表す文字“Ａ”で示され、その後にセルの残部内のスキューの表示、例えばライブスキュー又は最終スキューのための暗赤色又は明赤色背景上の通貨記号に“Ｃ”が付加された表示、又は、ライブスキュー又は最終スキューのための暗青色又は明青色背景上の通貨記号に“Ｐ”が付加された表示が続く。
【００３９】
アラウンドパー商品は、クォートの両側の絶対値が本質的に等しいものである。即ち、左側レートと右側レートは大きさが等しい。アラウンドパー表示はライブツーウェイ市場レートを必要とし、アラウンドパーラベル又は記号を最終スキュー方向記号とフリップなしで組み合わせることができる。ここに記載されたステップは図に示すように繰り返すことができる。所定の実施例では、アラウンドパー表示は、それがライブレートを反映するのか最終「フットプリント」レートを反映するのかとは無関係に一定の強度の橙色背景上に常に表示される。
【００４０】
図３を参照すると、一つ以上の市場ウィンドウを含むインタフェーススクリーンを表示することができる。インタフェーススクリーンは複数の品目、例えばＦＸオプション及びＦＸ  ＲＲのための市場ウィンドウを含むことができる。各通貨のための個々のウィンドウは、図４に示すように、左側に特定の通貨ペア（ここではＥＵＲ/ＵＳＤ）の現在の外国為替市場クォートを表示し、右側に該通貨ペアに対するリスクリバーサル及びスキューを表示する２つの連続する要素を含んでいる。ウィンドウはセル、例えば価額セルに配列されるクォートを含むのが好ましい。ウィンドウは通貨ペアに対する異なる期間を有する複数のアウトライト(outright)外国為替取引に対するツーウェイクォートを含むことができる。クォートは論理的順序、例えば図に示すように期間の昇順に配列することができる。クォートは市場データ、例えばベストビッド及びオファー価額又はレートなどを対応する数量とともに含むことができる。ライブクォートが入手できない場合には、図５に示すように最終価額/レートを明るい網掛け「フットプリント」レートとして表示することができる。
【００４１】
所定の実施例では、システムは、アラウンドパー指示又はスキュー指示を手動的に変ええること、例えば特定の期間に対するリスクリバーサルを進行中のアラウンドパーとして指示すること、又はコールビッディングからプットビッディングへ又はプットビッディングからコールビッディングへ手動的に変化させることをユーザに付与することができる。
【００４２】
ウィンドウは市場データセルに対応するセル内のオファーの期間を指定するためのユーザ用の拡張可能なスクラッチパッドを含むことができる。スクラッチパッドは図６に示すように特定のオプションに対するユーザの最新レートを表示することができる。
【００４３】
市場ウィンドウは、ユーザに情報を知らせるために強調表示、例えば特定のセルの反転ビデオ表示を用いることができる。例えば、図７に示すように、市場ウィンドウ内の特定のユーザの入力レート/クォートを示すために強調表示を用いることができる。クォートは図８に示すようにスクラッチパッドに同様に表示することができる。同様に、図８に示すように、第１の色を用いて、別のユーザが特定のユーザのクォートに参加したことを示すこともできる。図９に示すように、別の色を用いて、特定のクォートが関連のあるユーザから出されたことを示すこともできる。種々のタイプの強調表示は、テキスト及び／又はデータが表示されるセルの例えば太字表示、下線表示、イタリック表示、カラー表示などを用いることができる。
【００４４】
少なくとも一つの実施例では、市場ウィンドウは、図１０−１２に示すように、ベストビッド/ベストオファーを越える追加の市場デプスが存在することを示す記号又はインデックスを含むことができる。その記号又はセルの上にマウスを置くと、又はその記号又はセルを選択すると、図１１に示すような追加の市場デプスを含むウィンドウを表示することができる。図１２に示すように、他のタイプの情報を同様に表示することもできる。
【００４５】
上述したように、注文の期間はスクラッチパッドのセルで指定することができる。一実施例では、セル内の誤のある期間は、図１３に示すように、特定の強調表示を生じる。強調表示されたセルの上にマウスを置くと、図１４に示すように、誤った情報を有するダイアログボックスを生じさせることができる。図１５に示すように、スクラッチパッド内のセルに隣接して配置された上向き/下向き矢印で注文エントリを容易にしてセル内に配置されたレートを調整することができる。また、スクラッチパッドは、図１６に示すように、クォートをその選択とともに提示するために、セルに隣接して配置されたボタン又は他の素子をユーザのために含むこともできる。最後の一つの実施例では、ユーザはスクラッチパッド内の連続する又は連続しない複数のセルを選択し、選択したセル内のクォートを単一操作、例えばボタンの単一選択、マウスのクリック、キーボードショートカットの使用又は他の素子によって提示することができる。
【００４６】
少なくとも一つの実施例では、スクラッチパッドは多数の注文を出す、多数の注文をキャンセルする又は多数の注文を同じ増分で変更するために使用することができ、図Ｘに示すように、多数の注文を出したり、キャンセル又は削除することができる。ユーザはスクラッチパッド内の範囲を選択し、マウスを選択した範囲上にホバリングさせることによって、スクラッチパッドセルにライブ市場レート又は最終「フットプリント」レートを選択的に提示することができる。ユーザは次に、マウスクリック、キーボードショートカット又は他の手段によって、選択的に、レートをそれら自身の注文として提示する、レートを「レフ(Ref)」（削除）する、レートを１つ又は２つの固定増分だけ上げ、それらを提示する、レートを１つ又は２つの固定増分だけ下げる、又はそれらをクリアすることができる。
【００４７】
図１８を参照すると、ＲＲ市場ウィンドウもセルを含み、これらのセルは特定のＲＲ通貨ペアに対するクォートを含む。このウィンドウは異なる期間を有する複数のＲＲに対するクォートを含むこともできる。上述したように、特定のＲＲに対するクォートは短期から長期への順に、通貨スキューの表示及び／又はクォートがアラウンドパーであるかどうかの表示とともに配列するのが好ましい。セルを選択すると、図１９−２３に示すように、その詳細を含むダイアログボックスが表示されるようにするのが好ましい。代わりに又は加えて、ＲＲ市場ウィンドウはユーザによって、例えばビッドを図２４−２７に示すように一方向に表示するように設定することができる。
【００４８】
少なくとも一つの実施例では、ユーザは、すべてのリスクリバーサルを単一方向のビッドとして表示して、スキュー表示がスキュー方向の反転時もフリップしないように所定の通貨ペアを設定する選択肢を有することができる。
【００４９】
少なくとも一つの実施例では、ウィンドウは、スクラッチパッドの左上に緑色背景上の白丸内のチェック記号を有し、スクラッチパッドの右上に“Ｘ”記号を有することができる。スクラッチパッドの左上コーナ部上のチェック記号をマウスクリック、キーボードショートカット又は他の手段で選択すると、すべての選択レートを提示することができる。スクラッチパッドの右上コーナ部上の“Ｘ”記号をマウスクリック、キーボードショートカット又は他の手段で選択すると、選択レートの提示をキャンセルすることができる。
【００５０】
以上、本発明の明確な理解のための本発明を詳細に説明したが、当業者であれば本明細書を読むことにより、本発明の範囲から逸脱することなく種々の変更を加えることができることが理解されよう。
【図１】
0005490002.tif 000005
【図２】
0005490002.tif 000006
【図３】
0005490002.tif 000007
【図４】
0005490002.tif 000008
【図５】
0005490002.tif 000009
【図６】
0005490002.tif 000010
【図７】
0005490002.tif 000011
【図８】
0005490002.tif 000012
【図９】
0005490002.tif 000013
【図１０】
0005490002.tif 000014
【図１１】
0005490002.tif 000015
【図１２】
0005490002.tif 000016
【図１３】
0005490002.tif 000017
【図１４】
0005490002.tif 000018
【図１５】
0005490002.tif 000019
【図１６】
0005490002.tif 000020
【図１７】
0005490002.tif 000021
【図１８】
0005490002.tif 000022
【図１９】
0005490002.tif 000023
【図２０】
0005490002.tif 000024
【図２１】
0005490002.tif 000025
【図２２】
0005490002.tif 000026
【図２３】
0005490002.tif 000027
【図２４】
0005490002.tif 000028
【図２５】
0005490002.tif 000029
【図２６】
0005490002.tif 000030
【図２７】
0005490002.tif 000031